(57)【要約】【課題】  外部に露出しているコネクタの電極に触れても、内部ユニット内の電子部品に静電気による影響が及ばないようにした「接続型の電子機器」を提供する。【解決手段】  電子機器１と外部コネクタ５０とが分離されている状態では、電子機器１内に移動自在に設けられた連結コネクタ４が内部ユニット１０から切り離された状態に設定されるため、電子機器１の前方に設けられた外部接続部４Ａに設けられている平面電極４ｄに触れても、そのときの静電気が内部ユニット１０に伝わることがない。よって、内部ユニット１０内に設けられた各種の電子部品の静電破壊を防止できる。【選択図】図５
2005135332.tif 000002
【特許請求の範囲】
【請求項１】
ケース内に、電子回路を内蔵した内部ユニットが収納されて、外部コネクタに着脱自在とされた接続型の電子機器において、
前記内部ユニットにユニット側コネクタが設けられ、前記ケースには連結コネクタが設けられて、前記連結コネクタには、前記ユニット側コネクタと接続する内部接続部と、前記外部コネクタに接続される外部接続部とが設けられており、
前記連結コネクタは、前記内部接続部と前記ユニット側コネクタとが接続する接続位置と、前記内部接続部と前記ユニット側コネクタとの接続が解除される非接続位置との間で移動自在であり、
前記外部コネクタを前記外部接続部に接続するときの押圧力で、前記連結コネクタが前記接続位置に移動でき、前記連結コネクタが前記接続位置から前記非接続位置に移動するまで、前記外部接続部と前記外部コネクタとの接続状態が維持されることを特徴とする接続型の電子機器。
【請求項２】
前記ユニット側コネクタと前記内部接続部とを分離するのに要する力よりも、前記外部接続部と前記外部コネクタとを分離するのに要する力の方が大きい請求項１記載の接続型の電子機器。
【請求項３】
前記連結コネクタが前記接続位置から前記非接続位置に移動するまでの間、前記連結コネクタと前記外部コネクタとの接続状態を保持する保持手段が設けられている請求項１または２記載の接続型の電子機器。
【請求項４】
前記連結コネクタを前記非接続位置へ向けて付勢する付勢手段が設けられている請求項１ないし３のいずれかに記載の接続型の電子機器。
【請求項５】
前記内部ユニットにはハードディスクが内蔵されており、前記電子回路として前記ハードディスクに記録された信号を読み取る磁気ヘッドが設けられている請求項１ないし４のいずれかに記載の接続型の電子機器。
【請求項６】
前記内部ユニットは、前記ケース内で弾性支持部材を介して支持されている請求項５記載の接続型の電子機器。
【請求項７】
前記連結コネクタが前記接続位置に移動したときに、前記内部ユニットを前記ケース内で拘束する拘束手段が設けられている請求項６記載の接続型の電子機器。
【発明の詳細な説明】
【技術分野】
【０００１】
本発明は、例えばコンピュータやＡＶ機器または車載用電子機器などの機器本体に接続自在な電子機器に係り、特に機器本体との接続を解除しているときに、内部の電子回路が外部と導通しないようにした接続型の電子機器に関する。
【背景技術】
【０００２】
コンピュータ、ＡＶ機器または車載用電子機器などの各種機器本体には、外部装置として各種電子機器が接続される。前記電子機器は、、コネクタを介して前記機器本体に直接に接続され、または前記電子機器に設けられたコネクタが、前記機器本体から延びるケーブルにコネクタを介して接続される。
【０００３】
しかし、従来の前記電子機器では、そのケースの外部に現れているコネクタの接続ピンが、ケース内部の電子回路に直接に導通されているため、前記接続ピンに不用意に静電気やその他の電荷が与えられると、内部の前記電子回路に影響を与え、ＩＣチップの内部回路の破壊などが発生するおそれがある。
【０００４】
そこで、以下の特許文献１には、ハードディスクを内蔵した電子機器において、コネクタの接続ピンに電荷が与えられたときの対策が開示されている。前記特許文献１に記載のものは、この電子機器を機器本体などの外部コネクタに接続しない分離状態のとき、例えば出荷や保管のときに、電子機器の外部に現れているコネクタの信号ピンとグランドピンとを短絡させるショートプラグを装着して、静電気から内部の電子回路を保護しようというものである。
【特許文献１】特開平６−５２６５３号公報
【発明の開示】
【発明が解決しようとする課題】
【０００５】
しかし、上記特許文献１に記載された構成では、電子機器を、機器本体などに設けられた外部コネクタから分離した状態で内部回路を保護しようとするときには、電子機器のコネクタピンにショートプラグをわざわざ装着しなくてはならない煩わしさがある。また電子機器を外部コネクタから外した直後に、前記ショートピンを装着する前に誤って信号ピンに静電気を帯びた指が触れると、内部回路のＩＣの破損などを生じる危険がある。
【０００６】
本発明は上記従来の課題を解決するためのものであり、電子機器を機器本体などに設けられた外部コネクタから外した状態では、内部の電子回路に導通されたコネクタ接続部が外部に現れないようにして、内部の電子回路を静電気などから確実に保護できるようにした接続型の電子機器を提供することを目的としている。
【課題を解決するための手段】
【０００７】
本発明は、ケース内に、電子回路を内蔵した内部ユニットが収納されて、外部コネクタに着脱自在とされた接続型の電子機器において、
前記内部ユニットにユニット側コネクタが設けられ、前記ケースには連結コネクタが設けられて、前記連結コネクタには、前記ユニット側コネクタと接続する内部接続部と、前記外部コネクタに接続される外部接続部とが設けられており、
前記連結コネクタは、前記内部接続部と前記ユニット側コネクタとが接続する接続位置と、前記内部接続部と前記ユニット側コネクタとの接続が解除される非接続位置との間で移動自在であり、
前記外部コネクタを前記外部接続部に接続するときの押圧力で、前記連結コネクタが前記接続位置に移動でき、前記連結コネクタが前記接続位置から前記非接続位置に移動するまで、前記外部接続部と前記外部コネクタとの接続状態が維持されることを特徴とするものである。
【０００８】
本発明の接続型の電子機器では、外部コネクタを連結コネクタから外すときに、内部ユニットと連結コネクタとの導通が解除されるため、内部ユニットの電子回路と導通するユニット側コネクタがケースの外に露出しなくなり、静電気などの不用意な電荷が内部ユニット内に入ることを防止できる。
【０００９】
例えば、前記ユニット側コネクタと前記内部接続部とを分離するのに要する力よりも、前記外部接続部と前記外部コネクタとを分離するのに要する力の方が大きいものとすることで本発明を構成できる。
【００１０】
例えば、ユニット側コネクタと内部接続部とが軽い力で嵌合し、外部接続部と外部コネクタとが強い力で嵌合している構造とすることができる。
【００１１】
また本発明では、前記連結コネクタが前記接続位置から前記非接続位置に移動するまでの間、前記連結コネクタと前記外部コネクタとの接続状態を保持する保持手段が設けられていることが好ましい。
【００１２】
前記保持手段が設けられていると、外部コネクタを連結コネクタから分離しようとするときに、その前に必ずユニット側コネクタと連結コネクタとを分離できるようになる。
【００１３】
また、本発明は、前記連結コネクタを前記非接続位置へ向けて付勢する付勢手段が設けられていることが好ましい。
【００１４】
前記付勢手段を設けておくと、外部コネクタを連結コネクタから分離させているときに、ユニット側コネクタと連結コネクタとを常に非接続状態に維持でき、外部から内部ユニット内に電荷が与えられるのを防止できる。
【００１５】
本発明の接続型電子機器の一例は、前記内部ユニットにはハードディスクが内蔵されており、前記電子回路として前記ハードディスクに記録された信号を読み取る磁気ヘッドが設けられているものである。
【００１６】
この接続型の電子機器では、内部ユニット内の磁気ヘッドやＩＣチップなどを保護できる。
【００１７】
この場合に、前記内部ユニットは、前記ケース内で弾性支持部材を介して支持されていることが好ましく、前記連結コネクタが前記接続位置に移動したときに、前記内部ユニットを前記ケース内で拘束する拘束手段が設けられているものとすることができる。
【発明の効果】
【００１８】
本発明では、各種電子部品および電子回路が内蔵された接続型の電子機器を、外部コネクタから外した時点で、内部ユニット内の前記電子回路を外部と分離できるため、前記電子回路をケースの外から与えられる静電気などから確実に保護できるようになる。
【発明を実施するための最良の形態】
【００１９】
図１は本発明の実施の形態の接続型の電子機器と外部コネクタとを示す斜視図、図２は電子機器の内部構造の主要部を示す図１のＩＩ−ＩＩ線における断面図、図３は連結コネクタの断面図、図４は電子機器の側面の内部構造を示す図１のＩＶ−ＩＶ線における断面図である。
【００２０】
図５ないし図７は接続型の電子機器の動作状態を示す平面図であり、図５は電子機器と外部コネクタとが分離された状態を示し、図６は電子機器と外部コネクタとが接続された状態を示し、図７は電子機器と外部コネクタとを分離するときの状態を示している。
【００２１】
図１に示す電子機器１は、下部ケース２と破線で示す上部ケース３とから成るケースを有している。前記ケースは合成樹脂材料で射出成形されたものであり、あるいは金属材料で成型されたものである。下部ケース２は、図示Ｚ２側の底面２ａ（図４参照）と図示Ｘ２側の左側面２ｂと図示Ｘ１側の右側面２ｃおよび図示Ｙ２側の後側面２ｄを有し、これら側面で囲まれた部分がＺ２方向に向けて凹状に形成されている。上部ケース３は、天井面３ａ（図４参照）と、左枠３ｂと、右枠３ｃおよび後ろ枠３ｄを有し、これら枠で囲まれた部分がＺ１方向へ向けて浅い凹形状となっている。
【００２２】
前記下部ケース２と上部ケース３とが組み合わされて、内部が空洞で平面形状が矩形状のケースが組立てられ、下部ケース２と上部ケース３とがねじ止めなどの手段で固定される。前記ケースのＹ１側に向く前部には長方形状の開口部が形成されている。この開口部の内側には、Ｙ１−Ｙ２方向へスライド移動可能な連結コネクタ４が設けられている。この連結コネクタ４はケースの内方に向けてＹ２方向へ移動すると「接続位置」となり、ケースの開口部に向けてＹ１方向へ移動すると「非接続位置」となる。また連結コネクタ４は、前記「非接続位置」からさらにケースの外方へ移動できないようにケース内に支持されている。
【００２３】
図１および図３に示すように、前記連結コネクタ４の前面にはケースの前方（Ｙ１方向）に向けられる外部接続部４Ａと、ケースの内方（Ｙ２方向）に向けられる内部接続部４Ｂとが設けられている。
【００２４】
図３に示すように、前記外部接続部４Ａでは、連結コネクタ４に矩形状に開口する嵌着凹部が形成されており、この嵌着凹部内に接続板４ｂが設けられている。また前記内部接続部４Ｂでは、連結コネクタ４に狭幅の凹部４ａが形成されている。前記接続板４ｂの上面には、Ｙ方向に延びる多数の平面電極４ｃがＸ方向に一定のピッチで並んで形成され、前記接続板４ｂの下面に、同じくＹ方向に延びる平面電極４ｄがＸ方向に一定のピッチで形成されている。前記それぞれの平面電極４ｃと４ｄは、Ｙ２方向へ連続して延びて、前記内部接続部４Ｂの凹部４ａの上下内面に固着されている。
【００２５】
図１に示すように、前記ケース内には、６面体形状の内部ユニット１０が内蔵されている。この内部ユニット１０の体積は下部ケース２と上部ケース３とが組み合わされたときの内部の空間の容積よりも小さい。図４に示すように、内部ユニット１０と、ケースの内底面との間には複数の弾性支持部材７が介在し、内部ユニット１０と、ケースの天井内面および後部内面との間には弾性支持部材８が介在している。
【００２６】
前記弾性支持部材７，８は、弾性係数の低い軟質な合成ゴム材料で、例えばブチルゴム、シリコンゴムなどで形成されており、好ましくは粘弾性を有するゴム材料から形成されている。または、前記弾性支持部材７，８として、ゴム材料などの可撓性材料で形成された袋の内部に空気や液体などの流体が封入されたものであってもよい。ケースの空間内で内部ユニット１０が、前記弾性支持部材７，８によって、各方向へ０．１〜１ｍｍ程度の範囲で移動できるように弾性的に支持されている。
【００２７】
図１に示すように、前記連結コネクタ４の幅方向（Ｘ方向）の両側部には、前方（Ｙ１方向）に突出する凸部４ｅ，４ｅが形成されており、図２に示すように、前記凸部４ｅ，４ｅには、Ｙ２方向に開口する有底穴である凹部４ｅ１，４ｅ１が形成され、この凹部４ｅ１，４ｅ１内に、圧縮コイルスプリングの付勢部材Ｓ１，Ｓ１が収納される。前記付勢部材Ｓ１，Ｓ１はＹ方向において圧縮された状態で、その一方の端部が前記凹部４ｅ１，４ｅ１側の底部に当接し、他方の端部は内部ユニット１０の前面１０ａに当接している。
【００２８】
前記付勢部材Ｓ１，Ｓ１の弾性力により、連結コネクタ４はＹ１方向すなわち前記内部ユニット１０の前面１０ａから離れる方向へ付勢されており、前記連結コネクタ４は前記凸部４ｅ，４ｅの前面が、下部ケース３の前面２ｅ，２ｅに当たる非接続位置で安定している。
【００２９】
この実施の形態では、前記付勢部材Ｓ１，Ｓ１も、ケース内で前記内部ユニット１０を弾性支持する弾性支持部材として機能している。
【００３０】
図１に示すように、前記連結コネクタ４の前面には、外部接続部４Ａの横方向（Ｘ方向）外側でＹ１方向に開口する保持凹部４ｇ，４ｇが形成されている。図５に示すように、前記保持凹部４ｇの内部には、係止部４ｈが形成されている。この係止部４ｈの側部には、前方（Ｙ１方向）に向けて徐々に広くなるように開口する傾斜面４ｈ１が形成され、また前記係止部４ｈの後部にはＸ方向に延びる面で形成された係止面４ｈ２が形成されている。そして、係止面４ｈ２よりもケース内方には、保持空間４ｆが形成されている。
【００３１】
前記内部ユニット１０は、薄い立方体形状のハードケース１１を有している。前記ハードケース１１は、非磁性の金属板を折り曲げて形成され、あるいは合成樹脂材料で形成されている。図１と図４に示すように、前記ハードケース１１のＸ１方向とＸ２方向に向く両側面には、前後方向（Ｙ１−Ｙ２方向）に間隔を空けて、一対の凸部１８，１８が突出して設けられている。
【００３２】
図１に示すように、ハードケース１１の内部には、磁気ディスクであるハードディスク１２と、このハードディスク１２を回転駆動するスピンドルモータなどの回転駆動手段１３が設けられている。この内部ユニット１０のハードケース１１は密封されており、ハードケース１１内のハードディスク１２を交換できない構造である。
【００３３】
前記ハードケース１１内には、磁気ヘッド装置１４が内蔵されている。磁気ヘッド装置１４は、ハードディスク１２の磁気記録面に対向する磁気ヘッドチップ１４ａと、この磁気ヘッドチップ１４ａに所定のロード圧を与えるロードビーム１４ｂと、前記ロードビーム１４ｂを軸１４ｄを中心に回動させるアクセスアクチュエータ１４ｃとを有している。
【００３４】
前記磁気ヘッドチップ１４ａは、ハードディスク１２の記録面に対向するスライダと、このスライダに取り付けられた磁気抵抗効果素子による読取り部と、薄膜インダクティブヘッドによる書き込み部が設けられている。ハードディスク１２へのディジタル信号の記録動作、あるいはハードディスク１２からのディジタル信号の再生動作では、高速で回転するハードディスク１２の表面のエアーベアリングにより磁気ヘッドチップ１４ａがわずかに浮上姿勢となる。そしてアクセスアクチュエータ１４ｃによりロードビーム１４ｂが揺動動作させられて、ハードディスク１２の記録面のセクタが検索され、前記読取り部と書き込み部がトラッキングして読取り動作や書き込み動作が行われる。
【００３５】
またハードケース１１の内部には、回路基板が実装されており、この回路基板に、前記回転駆動手段１３を駆動制御する制御回路、磁気ヘッド装置１４の動作を制御する制御回路、書き込み信号をフォーマット化し読取り信号をデフォーマット化するなどのディジタル信号処理回路、およびインターフェース部などが実装されている。なお、前記インターフェース部としては、例えば１５０ＭＢ／秒以上のデータ転送速度が可能なシリアルＡＴＡなどである。
【００３６】
図２および図３に示すように、前記内部ユニット１０のＹ１方向に向く前面１０ａには、ユニット側コネクタ１１Ａが設けられている。前記ユニット側コネクタ１１Ａでは、接続板１１ｃがＹ１方向へ突出している。この接続板１１ｃは、前記ハードケース１１内に設けられた前記回路基板の一部で形成することが可能である。接続板１１ｃの上面および下面には平面電極１１ａ，１１ｂが形成されている。前記平面電極１１ａ，１１ｂは、前記連結コネクタ４の平面電極４ｃ，４ｄと同じピッチで形成されており、これら平面電極１１ａ，１１ｂは、ハードケース１１内の上記各電子回路に接続されている。
【００３７】
図１および図４に示すように、前記連結コネクタ４のＸ１方向とＸ２方向に向く両側面には、下部ケース２の内方（Ｙ２方向）に向けて延びる拘束部材２３，２３が固定されており、この拘束部材２３，２３は、前記連結コネクタ４と一緒にＹ１−Ｙ２方向へスライド可能である。
【００３８】
図４に示すように、それぞれの前記拘束部材２３には、前後方向に間隔を開けて位置する拘束手段２３Ａ，２３Ａが形成されている。それぞれの拘束手段２３Ａには、Ｙ１方向へ延びる拘束凹部２３ａと、Ｙ２方向に向く上下の幅寸法が広げられた開放部２３ｂとが連続して形成されている。前記内部ユニット１０のハードケース１１の側面に設けられた前記凸部１８，１８は、前記拘束手段２３Ａ，２３Ａにより拘束可能な位置に延びている。
【００３９】
図１、図２および図３には、外部コネクタ５０が示されている。この外部コネクタ５０は、車載用電子機器、車載用または家庭用のＡＶ機器あるいはパーソナルコンピュータの機器本体部に固定されて設けられ、フレキシブルケーブル６０により前記機器本体部の内部回路に接続されている。あるいは、前記機器本体部と接続するための外部ケーブルに前記外部コネクタ５０が設けられていてもよい。
【００４０】
前記外部コネクタ５０には嵌着凹部５１が形成されている。図２および図３に示すように、前記嵌着凹部５１の上下面には、複数の平面電極５１ａ，５１ｂが形成されている。これら平面電極５１ａ，５１ｂは、前記連結コネクタ４の平面電極４ｃ，４ｄと同じピッチで形成されている。
【００４１】
前記フレキシブルケーブル６０は、各平面電極５１ａ，５１ｂに接続されて、外部コネクタ５０に形成されたスリット５５から機器本体部の内部回路へ延びている。
【００４２】
前記外部コネクタ５０の両側部には、ケース内方（Ｙ２方向）に向けて突出する差込み部５２，５２が一体に形成されている。図２および図４に示すように、それぞれの差込み部５２，５２の対向する側面には、金属製の板ばねで形成された保持手段５３，５３が設けられている。
【００４３】
次に、前記電子機器１の装着動作を説明する。
図５に示すように、電子機器１の連結コネクタ４の外部接続部４Ａに外部コネクタ５０が装着される前の状態では、電子機器１内で、連結コネクタ４および拘束部材２３が前記付勢部材Ｓ１，Ｓ１の付勢力により前方（Ｙ１方向）へ移動して非接続位置にあり、ユニット側コネクタ１１Ａと、連結コネクタ４の内部接続部４Ｂとの接続が解除されている。
【００４４】
また、連結コネクタ４と共に拘束部材２３がＹ１方向へ移動しており、図４に示すように、ハードケース１１の側面に設けられた前記凸部１８，１８が拘束部材２３の開放部２３ｂ，２３ｂに位置している。したがって、電子機器１のケース内では、内部ユニット１０が、弾性支持部材７，８および前記付勢部材Ｓ１，Ｓ１により弾性支持された状態である。よって、電子機器１に外部衝撃が作用したような場合に、その衝撃が前記弾性支持部材７，８で緩衝されて、内部ユニット１０内のハードディスク１２と磁気ヘッドチップ１４ａとの摺動で、ハードディスク１２に傷が付いたり、または磁気ヘッドチップ１４ａが損傷するなどの問題を避けることができる。
【００４５】
また、外部コネクタ５０が連結コネクタ４から外されている状態では、ユニット側コネクタ１１Ａの平面電極１１ａ，１１ｂと、連結コネクタ４の内部接続部４Ｂとが接合されていない状態であるため、例えば電子機器１の外部に露出している連結コネクタ４の外部接続部４Ａの平面電極４ｃ，４ｄに、静電気を帯びた指などが接触しても、その電荷により内部ユニット１０内の磁気ヘッドチップ１４ａや、その他の電子部品であるＩＣなどが破壊することを防止することができ、内部ユニット１０内部の電子回路を保護できる。
【００４６】
電子機器１を前記機器本体部の接続スロットに挿入するなどして、前記連結コネクタ４の外部接続部４Ａが外部コネクタ５０に接続するときには、固定されている外部コネクタ５０によって、連結コネクタ４が、電子機器１の内方に押し込まれて接続位置に至る。連結コネクタ４が押し込まれると、連結コネクタ４の内部接続部４Ｂと、ユニット側コネクタ１１Ａとが凹凸嵌合し、連結コネクタ４の平面電極４ｃ，４ｄが、ユニット側コネクタ１１Ａの平面電極１１ａ，１１ｂに導通させられる。
【００４７】
さらに、外部コネクタ５０がケース内に相対的に押し込まれることにより、連結コネクタ４の外部接続部４Ａと、外部コネクタ５０の嵌着凹部５１とが凹凸嵌合して、連結コネクタ４の平面電極４ｃ，４ｄと、外部コネクタ５０の平面電極５１ａ，５１ｂとが導通される。このとき、外部コネクタ５０の差込み部５２，５２が、連結コネクタ４の前面に設けられた保持凹部４ｇ，４ｇの内部に差し込まれるが、その過程で差込み部５２，５２に設けられた保持手段（板ばね）５３が一度弾性変形して係止部４ｈの傾斜部４ｈ１を乗り越えて、図６に示すように、前記保持手段５３が、前記保持凹部４ｇ，４ｇ内の保持空間４ｆ，４ｆ内に至る。
【００４８】
図６の状態では、付勢手段Ｓ１，Ｓ１により連結コネクタ４が常にＹ１方向へ付勢されているが、ユニット側コネクタ１１Ａと連結コネクタ４の内部接続部４Ｂとの凹凸嵌合力を、前記付勢手段Ｓ１，Ｓ１による付勢力よりも強くしておくことにより、図６のように連結コネクタ４がユニット側コネクタ１１Ａに凹凸嵌合した状態を維持できる。そのために、連結コネクタ４の内部接続部４Ｂにユニット側コネクタ４Ａを保持する板ばねなどを設けてもよい。
【００４９】
あるいは、電子機器１を収容する機器本体部の前記スロットに、電子機器１が抜け出るのを防止するロック部を設けることにより、連結コネクタ４をユニット側コネクタ１１Ａおよび外部コネクタ５０に確実に接続し、且つ接続状態を維持することができる。
【００５０】
図６の状態で、ユニット側コネクタ１１Ａの各平面電極１１ａ，１１ｂが、連結コネクタ４を介して外部コネクタ５０の各平面電極５１ａ，５１ｂに導通される。
【００５１】
また、図６に示すように、連結コネクタ４がＹ２方向へ移動して接続位置に至ると、連結コネクタ４と共に前記拘束部材２３，２３がＹ２方向へ移動し、内部ユニット１０の両側面に設けられた凸部１８，１８が前記拘束部材２３，２３の拘束凹部２３ａ，２３ａに拘束される。したがって、電子機器１の内部で内部ユニット１０が自由に動くことが拘束されるようになり、ハードディスク１２が回転駆動されて磁気ヘッド装置１４が動作するときに、磁気ヘッド装置１４が不用意に動くのを防止でき、ハードディスク１２の再生動作や、記録動作を安定して行うことができる。
【００５２】
次に、電子機器１を機器本体部のスロットからＹ２方向へ引き抜くと、外部コネクタ５０と電子機器１とが離反するが、図７に示すように、外部コネクタ５０の差込み部５２に設けられた保持手段５３が、連結コネクタ４の係止面４ｈ２に係止された状態で、外部コネクタ５０と共に連結コネクタ４がＹ１方向へ相対的に移動する。よって、連結コネクタ４と外部コネクタ５０とが分離することなく、連結コネクタ４の内部接続部４Ｂとユニット側コネクタ１１Ａとが分離できる。
【００５３】
図７の状態から、さらに電子機器１をＹ２方向へ引き抜くと、保持手段５３が係止部４ｈを乗り越えてＹ１方向へ相対的に移動し、外部コネクタ５０が連結コネクタ４から分離させられる。
【００５４】
外部コネクタ５０が外されると、図５に示すように、付勢部材Ｓ１，Ｓ１の弾性付勢力により、連結コネクタ４はユニット側コネクタ１１Ａから分離された非接続位置で安定させられる。
【００５５】
なお、上記実施の形態では、連結コネクタ４側に係止部４ｈが設けられ、外部コネクタ５０に保持手段５３が設けられた構成で説明したが、本発明はこれに限られるものではなく、連結コネクタ４側に保持手段が設けられ、外部コネクタ５０に係止部が設けられた構成であってもよい。また、図６に示すように、連結コネクタ４がユニット側コネクタ１１Ａと連結されている状態で、連結コネクタ４をロックし、外部コネクタ５０がＹ１方向へ相対移動する動作に基づいて前記ロックを解除する機構を設けてもよい。
【００５６】
また上記実施の形態に示した各コネクタは、連結板と平面電極を用いた構成を示したが、一方に複数のピン端子が設けられ、他方に前記ピン端子が挿入される複数のスリーブが設けられたコネクタであってもよい。
【００５７】
さらに、内部ユニット１０として上記実施の形態では、ハードディスク装置を例に挙げたが、本発明はこれに限らずメモリ装置や光ディスク装置など電子回路を内蔵する各種電子機器に適用することができる。
【図面の簡単な説明】
【００５８】
【図１】本発明の実施の形態の電子機器と外部コネクタとを示す斜視図、
【図２】電子機器の主要部として図１のＩＩ−ＩＩ線における断面図、
【図３】連結コネクタの断面図、
【図４】電子機器の側面を示しており、図１のＩＶ−ＩＶ線における断面図、
【図５】電子機器と外部コネクタとが分離された状態を示す平面図、
【図６】電子機器と外部コネクタとが接続された状態を示す平面図、
【図７】電子機器と外部コネクタを分離する動作を示す平面図、
【符号の説明】
【００５９】
１  電子機器
２  下部ケース
３  上部ケース
４  連結コネクタ
４Ａ  外側接続部
４Ｂ  内側接続部
４ｈ  係止部
７，８  弾性支持部材
１０  内部ユニット
１１  ハードケース
１１Ａ  ユニット側コネクタ
１２  ハードディスク
１４  磁気ヘッド装置
１８  凸部
２３  拘束部材
５０  外部コネクタ
５１  嵌着凹部
５３  保持手段
Ｓ１  付勢部材
【図１】
2005135332.tif 000003
【図２】
2005135332.tif 000004
【図３】
2005135332.tif 000005
【図４】
2005135332.tif 000006
【図５】
2005135332.tif 000007
【図６】
2005135332.tif 000008
【図７】
2005135332.tif 000009